(57)【要約】【課題】対向する２面に電極端子が備えられた組電池モジュールを提供する。【解決手段】積層された複数の扁平型単電池が電気的に接続されて成る組電池モジュール１００であって、組電池モジュールの一側面には前記扁平型単電池の正極タブに接続されている正極端子１０４が設けられ、組電池モジュールの一側面に対向する他側面には前記扁平型単電池の負極タブに接続されている負極端子１０８が設けられている。【選択図】図１
2007157366.tif 000002
【特許請求の範囲】
【請求項１】
積層された複数の単電池が電気的に接続されて成る組電池モジュールであって、
前記組電池モジュールの一側面には前記単電池の正極タブに接続されている正極端子が設けられ、前記組電池モジュールの一側面に対向する他側面には前記単電池の負極タブに接続されている負極端子が設けられていることを特徴とする組電池モジュール。
【請求項２】
前記組電池モジュールは、
対向する２辺の一方に正極タブが配置され他方に負極タブが配置された単電池をその極性を交互にして奇数枚電気的に直列に接続して積層し、積層方向最上段と最下段に位置される単電池の正極タブまたは負極タブが前記組電池モジュールの正極端子または負極端子に接続されていることを特徴とする請求項１に記載の組電池モジュール。
【請求項３】
前記単電池の正極タブおよび負極タブは、積層した前記単電池同士の正極タブと負極タブを接合するときに、他の前記単電池の正極タブおよび負極タブと干渉することのないように、積層位置に応じて異なる位置に配置されていることを特徴とする請求項１または２に記載の組電池モジュール。
【請求項４】
前記組電池モジュールを構成する筐体の積層方向の一方の面は、当該一方の面上に組電池モジュールが積層されたときに、積層された組電池モジュールの下面との間で冷却通路が形成されるように凹部形状となっていることを特徴とする請求項１に記載の組電池モジュール。
【請求項５】
請求項１から４のいずれかに記載の組電池モジュールが、定められた上下方向を変えずにその電極端子の極性のみを交互にして三次元的に配置され、前記組電池モジュールの一側面側に位置されている正極端子および負極端子がバスバーで接続され、さらに他側面側に位置されている正極端子および負極端子がバスバーで接続されることによって、すべての組電池モジュールが直列に接続されてなることを特徴とする組電池。
【請求項６】
前記組電池モジュールの任意の電極端子間には前記組電池を二つのサブ組電池に分割するスイッチが接続されていることを特徴とする請求項５に記載の組電池。
【発明の詳細な説明】
【技術分野】
【０００１】
本発明は、対向する２面に電極端子が備えられた組電池モジュールおよびその組電池モジュールを用いて形成した組電池に関する。
【背景技術】
【０００２】
近年、環境意識の高まりを受けて、自動車の動力源を、化石燃料を利用するエンジンから電気エネルギーを利用するモータに移行しようとする動きがある。このため、モータの電力源となる電池の技術も急速に発展しつつある。
【０００３】
自動車には、小型軽量で、大きな電力を頻繁に充放電可能な、耐震動性、放熱性に優れた電池の搭載が望まれる。これらの要望を受けて、近年では下記特許文献１に示すような、扁平型電池を多数直列に接続してなる組電池が開発されている。
【特許文献１】特開２００４−３１１３６号公報
【発明の開示】
【発明が解決しようとする課題】
【０００４】
ところが、上記のような従来の組電池では、組電池を構成する組電池モジュールの＋と−の電圧端子が組電池モジュールの一方の側面のみに設けられているために、電圧端子同士を接続するバスバーの長さを最短化し、かつ、組電池モジュールの上下方向を揃えて積層したときに自動的に冷却通路が構成されるように組電池モジュールのカバーとして下非対称のものを用いようとすると、下記のような不具合が生じる。
【０００５】
まず、バスバーの長さを最短化しようとした場合、隣接する組電池モジュール同士の電極端子の極性を＋と−の電極端子で隣り合うように配置すればよいが、このような配置をするためには一方の側の組電池モジュールの上下方向を逆にして配置しなければならないが、これでは、一部の組電池モジュール間に冷却通路が形成されなくなってしまい、電池性能を低下させる原因となってしまう。
【０００６】
また、すべての組電池モジュール間に冷却通路が形成されるようにするためには、組電池モジュールの上下方向を逆にして配置しなくとも済むように２種類の組電池モジュール、すなわち、＋と−の電極端子が逆に配置されている２種対の組電池モジュールを用意すればよいが、２種類の組電池モジュールを製作するには、その製作のための設備費用と管理工数が多く発生してしまうと言う問題がある。
【０００７】
本発明は、このような従来の技術の問題点を解消するために成されたものであり、対向する２面に電極端子が備えられた組電池モジュールおよびその組電池モジュールを用いて形成した組電池の提供を目的とする。
【課題を解決するための手段】
【０００８】
上記目的を達成するための本発明に係る組電池モジュールは、積層された複数の単電池が電気的に接続されて成る組電池モジュールであって、前記組電池モジュールの一側面には前記単電池の正極タブに接続されている正極端子が設けられ、前記組電池モジュールの一側面に対向する他側面には前記単電池の負極タブに接続されている負極端子が設けられていることを特徴とする。
【０００９】
上記目的を達成するための本発明に係る組電池は、請求項１から３のいずれかに記載の組電池モジュールが、定められた上下方向を変えずにその電極端子の極性のみを交互にして三次元的に配置され、前記組電池モジュールの一側面側に位置されている正極端子および負極端子がバスバーで接続され、さらに他側面側に位置されている正極端子および負極端子がバスバーで接続されることによって、すべての組電池モジュールが直列に接続されてなることを特徴とする。
【発明の効果】
【００１０】
以上のように構成された本発明に係る組電池モジュールによれば、対向する２面に正極または負極の電極端子を設けているので、組電池を構成する場合に、この組電池モジュールに定められた上下方向を変えずに、この組電池モジュールを三次元的に配置することができる。
【００１１】
以上のように構成された本発明に係る組電池によれば、対向する２面に正極または負極の電極端子を設けた組電池モジュールを用いているので、この組電池モジュールに定められた上下方向を変えずに、組電池モジュールを三次元方向に配置することができ、隣り合う組電池モジュールの正極端子と負極端子とをバスバーで接続することによって組電池を形成することができる。
【発明を実施するための最良の形態】
【００１２】
次に、本発明に係る組電池モジュールおよび組電池を図面に基づいて詳細に説明する。
【００１３】
図１は本発明に係る組電池モジュールの概略構成図であり、図２は５枚の扁平型単電池で組電池モジュールを構成する場合のそれぞれの扁平型単電池の接続状態を示す図である。
【００１４】
本発明に係る組電池モジュール１００の筐体には、図示されているようにその一側面１０２に正極端子１０４が設けられ、また、その一側面１０２に対向する他側面１０６に負極端子１０８が設けられている。組電池モジュール１００の筐体の上面１１０は、この組電池モジュール１００の上に他の組電池モジュールが積層されたときに、積層された組電池モジュールの筐体の下面との間で冷却通路が形成できるように凹部形状となっている。
【００１５】
組電池モジュール１００の筐体内には図２に示されているような５枚の扁平型単電池が積層されて収納されている。
【００１６】
積層されるときに最上段に位置されることになる扁平型単電池１０Ａは、対向する２辺の一方の左側に正極タブ１２Ａが配置され他方の左側に負極タブ１４Ａが配置されている。扁平型単電池１０Ａの下側に位置されることになる扁平型単電池１０Ｂは、対向する２辺の一方の左側に負極タブ１４Ｂが配置され他方の右側に正極タブ１２Ｂが配置されている。扁平型単電池１０Ｂの下側に位置されることになる扁平型単電池１０Ｃは、対向する２辺の一方の右側に正極タブ１２Ｃが配置され他方の右側に負極タブ１４Ｃが配置されている。扁平型単電池１０Ｃの下側に位置されることになる扁平型単電池１０Ｄは、対向する２辺の一方の右側に負極タブ１４Ｄが配置され他方の右側に正極タブ１２Ｄが配置されている。そして最下段に位置されることになる扁平型単電池１０Ｅは、対向する２辺の一方の左側に正極タブ１２Ｅが配置され他方の右側に負極タブ１４Ｅが配置されている。
【００１７】
このように、本発明に係る組電池モジュールでは、そのモジュールを構成するために使用される扁平型単電池の正極タブおよび負極タブは、積層した扁平型単電池同士の正極タブと負極タブを接合するときに、超音波接合機のホーンとアンビルが他の扁平型単電池の正極タブおよび負極タブと干渉することのないように、積層位置に応じて異なる位置に配置している
これらの扁平型単電池を積層し電気的に直列に接続するためには超音波接合機が用いられる。超音波接合を行う場合、まず、扁平型単電池１０Ｂの上に扁平型単電池１０Ａを重ね、正極タブ１２Ａと負極タブ１４Ｂとを接合する。次に、扁平型単電池１０Ｃの上に接合が終了した扁平型単電池１０Ａと扁平型単電池１０Ｂとを重ね、正極タブ１２Ｂと負極タブ１４Ｃとを接合する。ここまでの工程で扁平型単電池１０Ａ、１０Ｂ、１０Ｃが電気的に直列に接続される。次に、扁平型単電池１０Ｅの上に扁平型単電池１０Ｄを重ね、正極タブ１２Ｄと負極タブ１４Ｅとを接合する。この接合によって扁平型単電池１０Ｄと１０Ｅが電気的に直列に接続される。最後に、積層された状態の扁平型単電池１０Ａ、１０Ｂ、１０Ｃを接合が終了した扁平型単電池１０Ｄと１０Ｅの上に重ね、正極タブ１２Ｃと負極タブ１４Ｄとを接合する。なお、この接合を行う際に、負極タブ１４Ｂと正極タブ１２Ｅ、負極タブ１４Ｃと正極タブ１２Ｄとが電気的に導通状態とならないように、負極タブ１４Ｂと正極タブ１２Ｅとの間、および、負極タブ１４Ｃと正極タブ１２Ｄとの間には図示しない絶縁物を介在させる。この接合が終了すると、５枚の扁平型単電池１０Ａ〜１０Ｅが積層され、かつ、すべての扁平型単電池が電気的に直列に接続される。
【００１８】
本発明に係る組電池モジュールでは、積層する扁平型単電池を奇数枚としているので、積層方向最上段に位置される扁平型単電池の負極タブ１４Ａと積層方向最下段に位置される扁平型単電池の正極タブ１２Ｅは互いに対向する方向に向くことになる。積層された状態の扁平型単電池を図１の組電池モジュール１００の筐体内に収納し、負極タブ１４Ａを負極端子１０８に接続し、正極タブ１２Ｅを正極端子１０４に接続する。
【００１９】
以上の手順で組み立てることによって組電池モジュール１００が完成する。
【００２０】
図３は７枚の扁平型単電池で組電池モジュールを構成する場合のそれぞれの扁平型単電池の接続状態を示す図である。この場合、組電池モジュール１００の筐体内には７枚の扁平型単電池が積層されて収納されることになる。
【００２１】
積層されるときに最上段に位置されることになる扁平型単電池１０Ａは、対向する２辺の一方の左側に正極タブ１２Ａが配置され他方の左側に負極タブ１４Ａが配置されている。扁平型単電池１０Ａの下側に位置されることになる扁平型単電池１０Ｂは、対向する２辺の一方の左側に負極タブ１４Ｂが配置され他方の右側に正極タブ１２Ｂが配置されている。扁平型単電池１０Ｂの下側に位置されることになる扁平型単電池１０Ｃは、対向する２辺の一方の右側に正極タブ１２Ｃが配置され他方の右側に負極タブ１４Ｃが配置されている。扁平型単電池１０Ｃの下側に位置されることになる扁平型単電池１０Ｄは、対向する２辺の一方の右側に負極タブ１４Ｄが配置され他方の右側に正極タブ１２Ｄが配置されている。扁平型単電池１０Ｄの下側に位置されることになる扁平型単電池１０Ｅは、対向する２辺の一方の左側に正極タブ１２Ｅが配置され他方の右側に負極タブ１４Ｅが配置されている。扁平型単電池１０Ｅの下側に位置されることになる扁平型単電池１０Ｆは、対向する２辺の一方の左側に負極タブ１４Ｆが配置され他方の左側に正極タブ１２Ｆが配置されている。そして最下段に位置されることになる扁平型単電池１０Ｇは、扁平型電池１０Ａと全く同一の構成を有している。
【００２２】
これらの扁平型単電池を積層し電気的に直列に接続するためには上記と同様に超音波接合機が用いられる。超音波接合を行う場合、まず、扁平型単電池１０Ｂの上に扁平型単電池１０Ａを重ね、正極タブ１２Ａと負極タブ１４Ｂとを接合する。次に、扁平型単電池１０Ｃの上に接合が終了した扁平型単電池１０Ａと扁平型単電池１０Ｂとを重ね、正極タブ１２Ｂと負極タブ１４Ｃとを接合する。ここまでの工程で扁平型単電池１０Ａ、１０Ｂ、１０Ｃが電気的に直列に接続される。次に、扁平型単電池１０Ｅの上に扁平型単電池１０Ｄを重ね、正極タブ１２Ｄと負極タブ１４Ｅとを接合する。扁平型単電池１０Ｆの上に接合が終了した扁平型単電池１０Ｄと扁平型単電池１０Ｅとを重ね、正極タブ１２Ｅと負極タブ１４Ｆとを接合する。ここまでの工程で扁平型単電池１０Ｄ、１０Ｅ、１０Ｆが電気的に直列に接続される。次に、扁平型単電池１０Ｇの上に積層された状態の扁平型単電池１０Ｄ、１０Ｅ、１０Ｆを重ね、正極タブ１２Ｆと負極タブ１４Ｇとを接合する。そして最後に、積層された状態の扁平型単電池１０Ａ、１０Ｂ、１０Ｃを積層された状態の扁平型単電池１０Ｄ、１０Ｅ、１０Ｆ、１０Ｇの上に重ね、正極タブ１２Ｃと負極タブ１４Ｄとを接合する。
【００２３】
なお、この接合を行う際に、負極タブ１４Ｂと正極タブ１２Ｅ、負極タブ１４Ｆと正極タブ１２Ｇ、負極タブ１４Ｃと正極タブ１２Ｄと、正極タブ１２Ｆと負極タブ１４Ａがそれぞれ電気的に導通状態とならないように、負極タブ１４Ｂと正極タブ１２Ｅとの間、負極タブ１４Ｆと正極タブ１２Ｇとの間、負極タブ１４Ｃと正極タブ１２Ｄとの間、および、正極タブ１２Ｆと負極タブ１４Ａとの間には図示しない絶縁物を介在させる。この接合が終了すると、７枚の扁平型単電池１０Ａ〜１０Ｇが積層され、かつ、すべての扁平型単電池が電気的に直列に接続される。
【００２４】
本発明に係る組電池モジュールでは、積層する扁平型単電池を奇数枚としているので、積層方向最上段に位置される扁平型単電池の負極タブ１４Ａと積層方向最下段に位置される扁平型単電池の正極タブ１２Ｇは互いに対向する方向に向くことになる。積層された状態の扁平型単電池を図１の組電池モジュール１００の筐体内に収納し、負極タブ１４Ａを負極端子１０８に接続し、正極タブ１２Ｇを正極端子１０４に接続する。
【００２５】
以上の手順で組み立てることによって組電池モジュール１００が完成する。
【００２６】
図４は９枚の扁平型単電池で組電池モジュールを構成する場合のそれぞれの扁平型単電池の接続状態を示す図である。この場合、組電池モジュール１００の筐体内には９枚の扁平型単電池が積層されて収納されることになる。
【００２７】
積層されるときに最上段に位置されることになる扁平型単電池１０Ａは、対向する２辺の一方の左側に正極タブ１２Ａが配置され他方の左側に負極タブ１４Ａが配置されている。扁平型単電池１０Ａの下側に位置されることになる扁平型単電池１０Ｂは、対向する２辺の一方の左側に負極タブ１４Ｂが配置され他方の右側に正極タブ１２Ｂが配置されている。扁平型単電池１０Ｂの下側に位置されることになる扁平型単電池１０Ｃは、対向する２辺の一方の右側に正極タブ１２Ｃが配置され他方の右側に負極タブ１４Ｃが配置されている。扁平型単電池１０Ｃの下側に位置されることになる扁平型単電池１０Ｄは、対向する２辺の一方の右側に負極タブ１４Ｄが配置され他方の右側に正極タブ１２Ｄが配置されている。扁平型単電池１０Ｄの下側に位置されることになる扁平型単電池１０Ｅは、対向する２辺の一方の左側に正極タブ１２Ｅが配置され他方の右側に負極タブ１４Ｅが配置されている。扁平型単電池１０Ｅの下側に位置されることになる扁平型単電池１０Ｆは、対向する２辺の一方の左側に負極タブ１４Ｆが配置され他方の左側に正極タブ１２Ｆが配置されている。扁平型単電池１０Ｆの下側に位置されることになる扁平型単電池１０Ｇは扁平型電池１０Ａと全く同一の構成を有している。扁平型単電池１０Ｇの下側に位置されることになる扁平型単電池１０Ｈは扁平型電池１０Ｂと全く同一の構成を有している。そして最下段に位置されることになる扁平型単電池１０Ｉは、扁平型電池１０Ｅと全く同一の構成を有している。
【００２８】
これらの扁平型単電池を積層し電気的に直列に接続するためには上記と同様に超音波接合機が用いられる。超音波接合を行う場合、まず、扁平型単電池１０Ｂの上に扁平型単電池１０Ａを重ね、正極タブ１２Ａと負極タブ１４Ｂとを接合する。次に、扁平型単電池１０Ｃの上に接合が終了した扁平型単電池１０Ａと扁平型単電池１０Ｂとを重ね、正極タブ１２Ｂと負極タブ１４Ｃとを接合する。ここまでの工程で扁平型単電池１０Ａ、１０Ｂ、１０Ｃが電気的に直列に接続される。次に、扁平型単電池１０Ｅの上に扁平型単電池１０Ｄを重ね、正極タブ１２Ｄと負極タブ１４Ｅとを接合する。扁平型単電池１０Ｆの上に接合が終了した扁平型単電池１０Ｄと扁平型単電池１０Ｅとを重ね、正極タブ１２Ｅと負極タブ１４Ｆとを接合する。ここまでの工程で扁平型単電池１０Ｄ、１０Ｅ、１０Ｆが電気的に直列に接続される。次に、扁平型単電池１０Ｈの上に扁平型単電池１０Ｇを重ね、正極タブ１２Ｇと負極タブ１４Ｈとを接合する。次に、扁平型単電池１０Ｉの上に接合が終了した扁平型単電池１０Ｇと扁平型単電池１０Ｈとを重ね、正極タブ１２Ｈと負極タブ１４Ｉとを接合する。ここまでの工程で扁平型単電池１０Ｇ、１０Ｈ、１０Ｉが電気的に直列に接続される。次に、積層された状態の扁平型単電池１０Ｇ、１０Ｈ、１０Ｉの上に積層された状態の扁平型単電池１０Ｄ、１０Ｅ、１０Ｆを重ね、正極タブ１２Ｆと負極タブ１４Ｇとを接合する。最後に、積層された状態の扁平型単電池１０Ｄ〜１０Ｉの上に積層された状態の扁平型単電池１０Ａ、１０Ｂ、１０Ｃを重ね、正極タブ１２Ｃと負極タブ１４Ｄとを接合する。
【００２９】
なお、この接合を行う際に、負極タブ１４Ｂと正極タブ１２Ｅ、負極タブ１４Ｆと正極タブ１２Ｇ、負極タブ１４Ｆと正極タブ１２Ｇ、負極タブ１４Ｈと正極タブ１２Ｉ、負極タブ１４Ｃと正極タブ１２Ｄ、負極タブ１４Ｅと正極タブ１２Ｈ、正極タブ１２Ｆと負極タブ１４Ａがそれぞれ電気的に導通状態とならないように、負極タブ１４Ｂと正極タブ１２Ｅとの間、負極タブ１４Ｆと正極タブ１２Ｇとの間、負極タブ１４Ｆと正極タブ１２Ｇとの間、負極タブ１４Ｈと正極タブ１２Ｉとの間、負極タブ１４Ｃと正極タブ１２Ｄとの間、負極タブ１４Ｅと正極タブ１２Ｈとの間と、正極タブ１２Ｆと負極タブ１４Ａとの間には図示しない絶縁物を介在させる。この接合が終了すると、９枚の扁平型単電池１０Ａ〜１０Ｉが積層され、かつ、すべての扁平型単電池が電気的に直列に接続される。
【００３０】
本発明に係る組電池モジュールでは、積層する扁平型単電池を奇数枚としているので、積層方向最上段に位置される扁平型単電池の負極タブ１４Ａと積層方向最下段に位置される扁平型単電池の正極タブ１２Ｉは互いに対向する方向に向くことになる。積層された状態の扁平型単電池を図１の組電池モジュール１００の筐体内に収納し、負極タブ１４Ａを負極端子１０８に接続し、正極タブ１２Ｉを正極端子１０４に接続する。
【００３１】
以上の手順で組み立てることによって組電池モジュール１００が完成する。
【００３２】
以上のようにして作成した組電池モジュール１００を、図５に示すように、横方向に４列並べさらにそれを３段積層することによって組電池２００を形成する。この場合、図５に示すように、組電池モジュール１００Ａ〜１００Ｌの上下方向が予め定められているので、組電池モジュール１００Ａ〜１００Ｌを、その上下方向を変えないようにして、それぞれの組電池モジュール１００Ａ〜１００Ｌの極性を＋−交互にして配列する。すなわち、組電池モジュール１００Ａ〜１００Ｌを、定められた上下方向を変えずにその電極端子の極性のみを交互にして三次元的に配置する。このように配列すると、組電池モジュール１００Ａと１００Ｂ、１００Ｂと１００Ｃ、１００Ｄと１００Ｅ、１００Ｅと１００Ｆ、１００Ｇと１００Ｈ、１００Ｈと１００Ｉ、１００Ｊと１００Ｋ、１００Ｋと１００Ｌ、それぞれの間に冷却風を流通させるための冷却通路２１０が自動的に形成されることになる。
【００３３】
図５のように配列した組電池モジュール１００Ａ〜１００Ｌは、バスバーを用いてすべてが直列に接続され組電池２００が形成されることになる。
【００３４】
図６は、図５のように配列された組電池モジュール１００Ａ〜１００Ｌがバスバーやスイッチを介してどのように直列に接続されるのかを模式的に示した図である。
【００３５】
図６に示したように、組電池モジュール１００Ａは右隣の組電池モジュール１００Ｄに接続される。この接続は、図面上手前側に位置する組電池モジュール１００Ａの正極端子と組電池モジュール１００Ｄの負極端子をバスバー２２０Ａで接続することによって行なう。組電池モジュール１００Ｄはまた下側の組電池モジュール１００Ｅに接続される。この接続は、図面上奥側に位置する組電池モジュール１００Ｄの正極端子と組電池モジュール１００Ｅの負極端子をバスバー２２０Ｂで接続することによって行なう。組電池モジュール１００Ｅはまた右隣の組電池モジュール１００Ｈに接続される。この接続は、図面上手前側に位置する組電池モジュール１００Ｅの正極端子と組電池モジュール１００Ｈの負極端子をバスバー２２０Ｃで接続することによって行なう。組電池モジュール１００Ｈはまた上側の組電池モジュール１００Ｇに接続される。この接続は、図面上奥側に位置する組電池モジュール１００Ｈの正極端子と組電池モジュール１００Ｇの負極端子をバスバー２２０Ｄで接続することによって行なう。組電池モジュール１００Ｇはまた右隣りの組電池モジュール１００Ｊに接続される。この接続は、図面上手前側に位置する組電池モジュール１００Ｇの正極端子と組電池モジュール１００Ｊの負極端子をバスバー２２０Ｅで接続することによって行なう。組電池モジュール１００Ａの負極端子は組電池としての−端子（ジャンクションボックス内にある）に接続され、組電池モジュール１００Ｊの正極端子はスイッチ２５０の一端に接続される。
【００３６】
組電池モジュール１００Ａ、１００Ｄ、１００Ｅ、１００Ｈ、１００Ｇ、１００Ｊは以上のように接続されているので、−端子とスイッチ２５０との間でこれら６個の組電池モジュールは直列に接続されることになる。
【００３７】
また、組電池モジュール１００Ｂはその下側の組電池モジュール１００Ｃに接続される。この接続は、図面手前側に位置する組電池モジュール１００Ｂの負極端子と組電池モジュール１００Ｃの正極端子をバスバー２２０Ｆで接続することによって行なう。組電池モジュール１００Ｃは右隣の組電池モジュール１００Ｆに接続される。この接続は、図面上奥側に位置する組電池モジュール１００Ｃの負極端子と組電池モジュール１００Ｆの正極端子をバスバー２２０Ｇで接続することによって行なう。組電池モジュール１００Ｆはさらに右隣の組電池モジュール１００Ｉに接続される。この接続は、図面上手前側に位置する組電池モジュール１００Ｆの負極端子と組電池モジュール１００Ｉの正極端子をバスバー２２０Ｈで接続することによって行なう。組電池モジュール１００Ｉはさらに右隣の組電池モジュール１００Ｌに接続される。この接続は、図面上奥側に位置する組電池モジュール１００Ｉの負極端子と組電池モジュール１００Ｌの正極端子をバスバー２２０Ｊで接続することによって行なう。組電池モジュール１００Ｌはさらに上側に位置する組電池モジュール１００Ｋに接続される。この接続は、図面上手前側に位置する組電池モジュール１００Ｌの負極端子と組電池モジュール１００Ｋの正極端子をバスバー２２０Ｋで接続することによって行なう。組電池モジュール１００Ｂの正極端子は組電池としての＋端子（ジャンクションボックス内にある）に接続され、組電池モジュール１００Ｋの正極端子はスイッチ２５０の他端に接続される。
【００３８】
組電池モジュール１００Ｂ、１００Ｃ、１００Ｆ、１００Ｉ、１００Ｌ、１００Ｋは以上のように接続されているので、＋端子とスイッチ２５０との間でこれら６個の組電池モジュールは直列に接続されることになる。
【００３９】
図７は図６に示した組電池２００の電気的な接続状態を表した回路図である。図に示すように、組電池モジュールはバスバーを介して組電池２００の＋端子と−端子との間で直鉄に接続される。なお、スイッチ２５０は組電池２００のメインテナンス時にＯＦＦされるスイッチであり、このスイッチ２５０をＯＦＦすることによって組電池２００の＋端子と‐端子との間に電圧が現れないように、安全のために設けられているスイッチである。上記の例では、組電池２００が６個ずつのサブ組電池に分割される位置にスイッチ２５０を設けたが、スイッチ２５０を設ける位置はこの位置に限られないことはもちろんである。
【００４０】
また、この図を見れば明らかなように、スイッチ２５０をＯＮさせることによって、組電池２００の＋端子と−端子との間に電圧が現れることがわかる。また、すべての組電池モジュール１００Ａ〜１００Ｌを構成する扁平型単電池も組電池モジュールごとに直列に接続されているので、組電池２００の＋端子と−端子との間ですべての扁平型単電池が直列に接続されることになる。
【００４１】
以上のように、本発明に係る組電池モジュールでは、極性の異なる電極タブが対向する位置から引き出されているタイプの扁平型電池を奇数枚積層しているために、組電池モジュールの二つの対向する面から無理なく正極端子と負極端子とを引き出すことができ、組電池モジュールの極性を交互に配列する場合でも、組電池モジュールの上下を逆にすることなく三次元的に配列することができる。
【００４２】
このため、組電池モジュール同士の接続を最短距離で行うことができ、使用するバスバーの長さが短くなることからバスバーの抵抗損を従来に比較して減少させることができ、また、組電池モジュールの上下方向を合わせて配列することが可能になるので、組電池として構成した場合に冷却風の流通経路の確保が容易になる。
【産業上の利用可能性】
【００４３】
本発明は、組電池モジュールおよび組電池の性能向上に寄与するので、組電池モジュールおよび組電池の製造分野で利用可能である。
【図面の簡単な説明】
【００４４】
【図１】本発明に係る組電池モジュールの概略構成図である。
【図２】５枚の扁平型単電池で組電池モジュールを構成する場合のそれぞれの扁平型単電池の接続状態を示す図である。
【図３】７枚の扁平型単電池で組電池モジュールを構成する場合のそれぞれの扁平型単電池の接続状態を示す図である。
【図４】９枚の扁平型単電池で組電池モジュールを構成する場合のそれぞれの扁平型単電池の接続状態を示す図である。
【図５】組電池の構成を示す図である。
【図６】図５のように配列された組電池モジュールがバスバーやスイッチを介してどのように直列に接続されるのかを模式的に示した図である。
【図７】図６に示した組電池の電気的な接続状態を表した回路図である。
【符号の説明】
【００４５】
１０Ａ〜１０Ｉ    扁平型単電池、
１２Ａ〜１２Ｉ    正極タブ、
１４Ａ〜１４Ｉ    負極タブ、
１００Ａ〜１００Ｌ    組電池モジュール、
１０４    正極端子、
１０８    負極端子、
２００    組電池、
２１０    冷却通路、
２２０Ａ〜２２０Ｋ    バスバー、
２５０    スイッチ。
【図１】
2007157366.tif 000003
【図２】
2007157366.tif 000004
【図３】
2007157366.tif 000005
【図４】
2007157366.tif 000006
【図５】
2007157366.tif 000007
【図６】
2007157366.tif 000008
【図７】
2007157366.tif 000009
【手続補正書】
【提出日】平成17年12月14日(2005.12.14)
【手続補正１】
【補正対象書類名】図面
【補正対象項目名】全図
【補正方法】変更
【補正の内容】
【図１】
2007157366.tif 000010
【図２】
2007157366.tif 000011
【図３】
2007157366.tif 000012
【図４】
2007157366.tif 000013
【図５】
2007157366.tif 000014
【図６】
2007157366.tif 000015
【図７】
2007157366.tif 000016